【事件の表示】
　平成　５年特許願第３５０６３８号「遊技機」拒絶査定不服審判事件〔平成　７年　８月　１日出願公開、特開平　７−１９４７９３〕について、次のとおり審決する。
【結　論】
　本件審判の請求は、成り立たない。
【理　由】
第１　手続の経緯・本願発明の認定
　本願は平成５年１２月３０日の出願であって、平成１６年５月１２日付けで拒絶の査定がされたため、これを不服として同年６月１５日付けで本件審判請求がされるとともに、同日付けで明細書についての手続補正がされたものである。
　したがって、本願の請求項１に係る発明（以下「本願発明」という。）は、平成１６年６月１５日付けで補正された明細書の特許請求の範囲【請求項１】に記載されたとおりの次のものと認める。
「可動部材を閉状態と開状態とに変換する変動入賞装置を備え、遊技球が始動口に入賞することに基づき、前記変動入賞装置の可動部材を開状態へ変換する補助遊技を発生し、
　前記補助遊技中に当該可動部材により受け入れられた遊技球が特別入賞口へ入賞することに基づいて、当該可動部材を閉状態から開状態へ複数回変換する特別遊技が行われ、且つ、該特別遊技中に受け入れられた遊技球が特別入賞口へ入賞することに基づいて、当該特別遊技がサイクル単位で継続して行われる大当たりを発生する遊技機において、
　複数の図柄を可変表示する第１可変表示装置と、
　複数の図柄を可変表示する第２可変表示装置と、
　前記変動入賞装置は、
　前記可動部材により受け入れられた遊技球を前記特別入賞口へ誘導し易い誘導状態と当該特別入賞口へ誘導し難い非誘導状態とに変換可能な特別入賞口誘導手段を備えるとともに、
　前記特別入賞口誘導手段の上流に、前記可動部材により受け入れられた遊技球を検出する遊技球検出手段を配置し、
　前記補助遊技中に前記可動部材により受け入れられた遊技球が前記特別入賞口に入賞することに基づいて、前記特別遊技のサイクル単位数を決定し、該決定に応じた停止図柄を前記第１可変表示装置に停止表示させる第１可変表示装置制御手段と、
　前記補助遊技中に前記可動部材により受け入れられた遊技球が前記遊技球検出手段に検出されることに基づいて、前記特別入賞口誘導手段を誘導状態にするか否かを決定し、該決定に応じた停止図柄を前記第２可変表示装置に停止表示させる第２可変表示装置制御手段と、
　前記第１可変表示装置に停止表示された図柄が前記サイクル単位数の最大値に対応する特殊図柄である場合に、大当り終了後に前記第２可変表示装置において、前記特別入賞口誘導手段を誘導状態に変換する決定に応じた特別図柄が停止表示される確率を通常より高くする高確率状態を制御することにより、サイクル単位数に応じて前記特別入賞口誘導手段を誘導状態に変換する確率を変化させる高確率制御手段と、
　を備え、
　前記高確率制御手段は、
　前記第１可変表示装置に停止表示された図柄が特殊図柄であれば特殊図柄の種類によって異なる値がセットされるカウンタを備え、該カウンタの値を前記大当たりが発生する毎にデクリメントし、該カウンタの値が０でなければ前記高確率状態を制御する構成とし、
　前記特殊図柄の種類によって前記高確率状態の発生回数を決定するようにしたことを特徴とする遊技機。」
　
第２　当審の判断
１．引用刊行物の記載事項
　原査定の拒絶の理由に引用された特開平４−２８２１７２号公報（以下「引用例１」という。）には、以下のア〜シの記載が図示とともにある。
　ア．「本発明は、可動部材が開状態のとき受け入れた入賞玉が継続入賞口に入賞したときに可動部材の次回の開状態が継続されるように構成されたパチンコ機の変動入賞装置に関するものである。」（段落【０００１】）
　イ．「可動部材が開状態のとき受け入れられた入賞玉は、まず間欠流下機構によって所定時間間隔に区切って下流に流下され、通過玉検出器を通過する。通過玉検出器が入賞玉を検出すると、変動表示器の変動が停止してある表示結果を導出するが、その表示結果が予め定められた特定表示であるときには、開放機構が駆動されて継続入賞口の入口を開放する。このため、流下玉が継続入賞口に誘導され易くなる。このように、本発明においては、変動入賞装置に受け入れられた入賞玉毎に変動表示器が表示結果を導出し、その表示結果によって入賞玉が継続入賞口へ誘導されるか否かが決定されるので、可動部材の各開状態毎に特定表示が導出されるタイミングが異なることになり、このため、継続入賞口への入賞玉の誘導パターンが可動部材の各開状態毎に異なり、遊技者の興味を引き付けることができる。」（段落【０００５】）
　ウ．「変動入賞装置２０の下方には、複数の始動入賞口１２、１３ａ，１３ｂが横方向に並列配置されている。この始動入賞口１２、１３ａ，１３ｂに打球が入賞すると、変動入賞装置２０の可動部材２４ａ，２４ｂを比較的短い時間間隔で１回又は２回開閉動作させるようになっている。具体的には、中央に配置される始動入賞口１２に打球が入賞すると、可動部材２４ａ，２４ｂが２回開閉動作を行い、左右の始動入賞口１３ａ，１３ｂに打球が入賞すると、可動部材２４ａ，２４ｂが１回開閉動作を行う。なお、始動入賞口１２、１３ａ，１３ｂには、入賞した打球を検出するための始動検出スイッチ（図示しない）が内蔵されている。」（段落【０００８】）
　エ．「遊技領域１１のほぼ中央に配置される変動入賞装置２０の構成について図１乃至図７を参照して説明する。まず、変動入賞装置２０は、図５及び図６に示すように、遊技盤９の表面に取り付けられる取付基板２１を有し、その取付基板２１の上部前面に円弧状に上部障害部材２２が突設されている。この上部障害部材２２は、遊技領域１１を落下する打球の変動入賞装置２０への入賞を妨害するものである。」（段落【００１０】）
　オ．「上部障害部材２２の両端部には、一対の可動部材２４ａ，２４ｂが配置されている。この可動部材２４ａ，２４ｂは、円弧状の棒状部材が、上下方向に昇降運動するように構成されており、取付基板２１の後面側に延びる梃軸２５ａ，２５ｂ（ただし、２５ａは、図示しない）を開閉ソレノイド２６ａ，２６ｂによって揺動させることにより、上下方向に昇降運動させる。即ち、開閉ソレノイド２６ａ，２６ｂがＯＦＦのときには、図５に示すように可動部材２４ａ，２４ｂの上端が上部障害部材２２の両端と当接して遊技領域１１を落下する打球が受け入れられないようになっており、開閉ソレノイド２６ａ，２６ｂがＯＮのときには、図６に示すように可動部材２４ａ，２４ｂが下動して上部障害部材２２との間から打球が変動入賞装置２０内に入賞するようになっている。なお、開閉ソレノイド２６ａ，２６ｂの駆動は、前記始動入賞口１２、１３ａ，１３ｂへの打球の入賞時と、後述する大当り状態時に行われるようになっている。」（段落【００１１】）
　カ．「上記した可動部材２４ａ，２４ｂは、取付基板２１の前面を覆う前面装飾板２７の内部に収納されるようになっているが、その前面装飾板２７の中央上部と下部に第２変動表示器２８と第１変動表示器２９とが臨むようになっている。この第２変動表示器２８と第１変動表示器２９とは、共に、常時変動しており、後述する継続検出器５０、通過玉検出器４１とによって入賞玉が検出されたときに、その変動表示を停止し、表示結果を導出する。なお、第１変動表示器２９は、０〜９までの数字を遊技者に視認できない速度で変動表示しており、第２変動表示器２８は、「１０」と「１６」とを交互に変動表示している。」（段落【００１２】）
　キ．「前記可動部材２４ａ，２４ｂの開状態時に受け入れられた打球は、取付基板２１の中央に向かって傾斜する誘導面３１によって誘導され、その誘導面３１の流下端後面に形成された玉入口３２から取付基板２１の後方に誘導される。取付基板２１の後方には、図１に示すように、凹状の入賞空間が形成されており、その入賞空間の上部に前記玉入口３２に連続するように後方に向かって下り傾斜する上部玉流下板３３が形成されている。この上部玉流下板３３の上流側には、玉入口３２から流入した入賞玉を検出する入賞玉検出器３４が配置され、上部玉流下板３３の下流側には、間欠流下機構３５が設けられている。」（段落【００１３】）
　ク．「一方、上部玉流下板３３の後端には、下方に向かう落下通路４０が形成されており、該落下通路４０に通過玉検出器４１が臨むようになっている。通過玉検出器４１は、前記間欠流下機構３５によって送られた入賞玉を検出するもので、入賞玉が検出されると前記第１変動表示器２９の変動表示を短時間（間欠流下機構３５に設定される所定時間よりも短く且つ表示結果を遊技者が視認できる時間）停止させる。そして、第１変動表示器２９の変動表示が停止されたときにその表示結果が予め定めた特定表示（例えば、数字の７）が表示されたときには、後述する開放機構４５が駆動される。なお、特定表示が表示される確率は、後述する開閉サイクルにおいて許容される入賞玉数１０個が入賞したときに少なくとも１度は表示される可能性がある約１／１０に設定されている。」（段落【００１５】）
　ケ．「前記通過玉検出器４１を通過した入賞玉は、入賞空間の底面を構成する下部玉流下板４２上の中央に落下する。下部玉流下板４２は、前方に向かって下り傾斜するように構成され、その中央下流側に継続入賞口４３が開設され、下部玉流下板４２の両サイド前方には、通常入賞口４４ａ，４４ｂが設けられている。継続入賞口４３の入口には、開放機構４５が設けられて常には、開放機構４５によって継続入賞口４３が閉塞されている。」（段落【００１６】）
　コ．「開放ソレノイド４６がＯＦＦ状態のときには、・・・前記通過玉検出器４１を通過した入賞玉であって下部玉流下板４２の中央を流下する入賞玉は、障害突起４８に衝突して左右に振り分けられ、前記通常入賞口４４ａ，４４ｂに誘導される。一方、開放ソレノイド４６がＯＮ状態のときには、・・・前記通過玉検出器４１を通過した入賞玉であって下部玉流下板４２の中央を流下する入賞玉は、継続入賞口４３に受け入れられてその下方に臨設される継続検出器５０によって検出される。」（段落【００１８】）
　サ．「継続入賞口４３に入賞玉が入賞して継続検出器５０がＯＮすると、可動部材２４ａ，２４ｂの次の開状態が継続される。これについて簡単に説明すると、まず、始動入賞口１２、１３ａ，１３ｂへの入賞に基づく可動部材２４ａ，２４ｂの１回又は２回の開閉動作中に受け入れられた入賞玉が上述した経過を経て継続入賞口４３に入賞して継続検出器５０をＯＮしたときには、大当り状態となる。大当り状態になると、可動部材２４ａ，２４ｂが比較的短い時間間隔で所定回数（例えば、１０回又は１６回）の開閉動作を行うか、又はその所定回数の開閉動作中であって可動部材２４ａ，２４ｂに受け入れられた入賞玉数が所定個数（例えば、１０個）となるまでの開閉動作を行う。この開閉回数と入賞個数によって規制される開閉動作（以下、開閉サイクルという）は、開閉サイクル中に受け入れられた入賞玉が上述した経過を経て継続入賞口４３に入賞することを条件として所定回数（例えば、１５回）継続するようになっている。」（段落【００１９】）
　シ．「上記した開閉サイクルを規制する一方の条件である可動部材２４ａ，２４ｂの開閉回数は、本実施例において、「１０」又は「１６」の２通りのうちからいずれか一方が選択されるようになっている。即ち、前記継続検出器５０のＯＮ信号が導出されると、前記第２変動表示器２８の変動が停止される。そして、その表示結果が「１０」であるときには、次の開閉サイクルにおける可動部材２４ａ，２４ｂの開閉回数は、１０回であり、表示結果が「１６」であるときには、次の開閉サイクルにおける可動部材２４ａ，２４ｂの開閉回数は、１６回に設定される。」（段落【００２０】）
　
２．引用例１記載の発明の認定
　記載ア〜シを含む引用例１の全記載及び図示によれば、引用例１には次のような発明が記載されていると認めることができる。
「変動入賞装置を備えた遊技機であって、
　前記変動入賞装置は、可動部材、通過玉検出器、開放機構、継続入賞口、継続検出器、第１変動表示器及び第２変動表示器を有し、
　前記可動部材は始動入賞口への打球入賞を条件として１回又は２回開閉動作し、可動部材開状態時に前記変動入賞装置内に入賞するよう構成されており、
　前記通過玉検出器は変動入賞装置内に入賞した入賞玉を検出するものであって、その検出時に第１変動表示器の変動表示が停止され、特定の表示結果の場合のみ前記開放機構が入賞玉を前記継続入賞口に導くように構成されており、
　前記継続検出器は前記継続入賞口に入賞玉が入賞したことを検出するものであって、同検出時には第２変動表示器の変動表示が停止され、入賞玉が継続入賞口に入賞することを条件として所定回数開閉サイクルを継続する遊技に移行し、停止時の表示結果に従って次の開閉サイクルの可動部材の開閉動作の回数が定まるように制御するパチンコ機。」（以下「引用発明１」という。）
　
３．本願発明と引用発明１との一致点及び相違点の認定
　引用発明１と本願発明の「可動部材」及び「変動入賞装置」は、文言だけでなく技術的にも相当関係がある。
　引用発明１の「始動入賞口」は本願発明の「始動口」に相当し、引用発明１では「可動部材は始動入賞口への打球入賞を条件として１回又は２回開閉動作」するのであるから、引用発明１は「遊技球が始動口に入賞することに基づき、前記変動入賞装置の可動部材を開状態へ変換する補助遊技を発生」するパチンコ機（本願発明の「遊技機」に相当。）である。
　引用発明１の「入賞玉が継続入賞口に入賞することを条件として所定回数開閉サイクルを継続する」状態は本願発明の「可動部材を閉状態から開状態へ複数回変換する特別遊技」に相当し、特別遊技の実行条件が「前記補助遊技中に当該可動部材により受け入れられた遊技球が特別入賞口へ入賞することに基づ」く点、及び特別遊技の内容が「特別遊技中に受け入れられた遊技球が特別入賞口へ入賞することに基づいて、当該特別遊技がサイクル単位で継続して行われる大当たり」である点において、本願発明と引用発明１は一致する。
　引用発明１の「通過玉検出器」及び「開放機構」は、本願発明の「可動部材により受け入れられた遊技球を検出する遊技球検出手段」及び「特別入賞口誘導手段」にそれぞれ相当し、引用発明１においても前者が後者の上流に配置されていることは明らかである。すなわち、「前記可動部材により受け入れられた遊技球を前記特別入賞口へ誘導し易い誘導状態と当該特別入賞口へ誘導し難い非誘導状態とに変換可能な特別入賞口誘導手段を備えるとともに、前記特別入賞口誘導手段の上流に、前記可動部材により受け入れられた遊技球を検出する遊技球検出手段を配置」することは本願発明と引用発明１の一致点である。もっとも、本願発明の「特別入賞口へ誘導し難い非誘導状態」については、誘導し難いだけであって、誘導できないわけではないと解する余地があり、同解釈においては、「誘導し難い」かどうかが相違点となるが、「誘導し易い」及び「誘導し難い」を１００％誘導するか全く誘導しない構成（それが引用発明１である。）から、それぞれ有限の誘導確率に変更する（当然「誘導し易い」状態の方が高確率である。）ことは設計事項というべきであるから、以下では一致点に含めるが、相違点としても進歩性の判断には影響しない。
　引用発明１の「第１変動表示器」は本願発明の「複数の図柄を可変表示する第２可変表示装置」に相当する。引用発明１において「第１変動表示器の変動表示が停止され、特定の表示結果の場合のみ前記開放機構が入賞玉を前記継続入賞口に導くように構成されて」いるものの、開放機構の状態（本願発明でいう「特別入賞口誘導手段を誘導状態にするか否か」）を先に決定し、その決定に応じて停止表示するのかどうかまでは明らかでない。しかし、遊技機の分野においては、変動表示器の変動表示を停止するに当たり、停止時の表示状態を事前に決定し、その決定に応じて停止表示することは、例えば原査定の拒絶の理由に引用された特開平５−１４６５５４号公報（以下「引用例２」という。）又は特開平５−３２９２４６号公報（以下「引用例３」という。）に見られるように周知であるばかりか、引用例１の記載クに特定表示の表示確率設定に関する記載があることからみても、上記周知技術同様、開放機構の状態を先に決定し、その決定に応じて停止表示すると解するのが自然である。仮に、同解釈ができないとしても、せいぜい設計事項程度の微差であり、進歩性の判断に影響しないことはいうまでもない。そうである以上、引用発明１において「第１変動表示器の変動表示が停止され、特定の表示結果の場合のみ前記開放機構が入賞玉を前記継続入賞口に導くように構成されて」いることと、本願発明において「前記補助遊技中に前記可動部材により受け入れられた遊技球が前記遊技球検出手段に検出されることに基づいて、前記特別入賞口誘導手段を誘導状態にするか否かを決定し、該決定に応じた停止図柄を前記第２可変表示装置に停止表示させる」ことに相違はなく、したがって引用発明１は本願発明の「第２可変表示装置制御手段」を備える。
　引用発明１の「第２変動表示器」は本願発明の「複数の図柄を可変表示する第１可変表示装置」に相当し、「第１変動表示器」について述べたと同様の理由により、引用発明１において「第２変動表示器の変動表示が停止され、・・・停止時の表示結果に従って次の可動部材の開閉動作の回数が定まるように制御する」ことと本願発明の「前記補助遊技中に前記可動部材により受け入れられた遊技球が前記特別入賞口に入賞することに基づいて、前記特別遊技のサイクル単位数を決定し、該決定に応じた停止図柄を前記第１可変表示装置に停止表示させる」ことについては、決定対象が「次の開閉動作の回数」であるか「特別遊技のサイクル単位数」を除いて一致（決定対象が「特別遊技に関する回数」の限度では一致する。）し、その一致する限度で「第１可変表示装置制御手段」を備えることは本願発明と引用発明１の一致点である。
　したがって、本願発明と引用発明１とは、
「可動部材を閉状態と開状態とに変換する変動入賞装置を備え、遊技球が始動口に入賞することに基づき、前記変動入賞装置の可動部材を開状態へ変換する補助遊技を発生し、
　前記補助遊技中に当該可動部材により受け入れられた遊技球が特別入賞口へ入賞することに基づいて、当該可動部材を閉状態から開状態へ複数回変換する特別遊技が行われ、且つ、該特別遊技中に受け入れられた遊技球が特別入賞口へ入賞することに基づいて、当該特別遊技がサイクル単位で継続して行われる大当たりを発生する遊技機において、
　複数の図柄を可変表示する第１可変表示装置と、
　複数の図柄を可変表示する第２可変表示装置と、
　前記変動入賞装置は、
　前記可動部材により受け入れられた遊技球を前記特別入賞口へ誘導し易い誘導状態と当該特別入賞口へ誘導し難い非誘導状態とに変換可能な特別入賞口誘導手段を備えるとともに、
　前記特別入賞口誘導手段の上流に、前記可動部材により受け入れられた遊技球を検出する遊技球検出手段を配置し、
　前記補助遊技中に前記可動部材により受け入れられた遊技球が前記特別入賞口に入賞することに基づいて、前記特別遊技に関する回数を決定し、該決定に応じた停止図柄を前記第１可変表示装置に停止表示させる第１可変表示装置制御手段と、
　前記補助遊技中に前記可動部材により受け入れられた遊技球が前記遊技球検出手段に検出されることに基づいて、前記特別入賞口誘導手段を誘導状態にするか否かを決定し、該決定に応じた停止図柄を前記第２可変表示装置に停止表示させる第２可変表示装置制御手段とを備える遊技機。」の点で一致し、以下の各点で相違する。
〈相違点1〉第１可変表示装置制御手段において決定する回数につき、本願発明が「特別遊技のサイクル単位数」としているのに対し、引用発明１では「次の開閉サイクルの可動部材の開閉動作の回数」としている点。
〈相違点２〉本願発明が「前記第１可変表示装置に停止表示された図柄が前記サイクル単位数の最大値に対応する特殊図柄である場合に、大当り終了後に前記第２可変表示装置において、前記特別入賞口誘導手段を誘導状態に変換する決定に応じた特別図柄が停止表示される確率を通常より高くする高確率状態を制御することにより、サイクル単位数に応じて前記特別入賞口誘導手段を誘導状態に変換する確率を変化させる高確率制御手段と、
　を備え、
　前記高確率制御手段は、
　前記第１可変表示装置に停止表示された図柄が特殊図柄であれば特殊図柄の種類によって異なる値がセットされるカウンタを備え、該カウンタの値を前記大当たりが発生する毎にデクリメントし、該カウンタの値が０でなければ前記高確率状態を制御する構成とし、
　前記特殊図柄の種類によって前記高確率状態の発生回数を決定する」としているのに対し、引用発明１には「高確率制御手段」に相当する手段が存在しない点。
　
４．相違点の判断及び本願発明の進歩性の判断
（１）相違点１について
　本願発明及び引用発明１に共通して、特別遊技が遊技者に有利な遊技であることは明らかであるが、有利であることの度合いは、サイクル単位数及び各サイクルにおける可動部材の開閉動作の回数に依存する。そして、本願発明及び引用発明１は、第１可変表示装置に停止表示された図柄に基づいて、特別遊技に異なる価値を与え、遊技の奥行き感を深めることにより遊技者の興趣を高めるものである。
　引用例２に「第２の検出手段からの検出信号により図柄を変動表示する第２の図柄表示手段と、第２の図柄表示手段の表示結果が予め設定された第２の特定条件を満たすことよって開口される大入賞口とを備えたパチンコ機」（段落【０１０８】）と記載されているように、表示結果が予め設定された特定条件を満たさない場合には、遊技者に有利な状態に移行しない（本願発明の用語を用いれば、サイクル単位数が０であることに該当する。）遊技ルールは周知である。そればかりか、本願出願前に頒布された特開平５−１５４２３６号公報及び特開平５−１７７０４０号公報にみられるように、サイクル単位数（上記各文献では「許容継続回数」又は「継続回数」と表現されている。）を特別遊技移行時の条件により可変とすることも周知である。
　そうであれば、遊技の奥行き感を深めるために与える異なる価値として、引用発明１を出発点として、各サイクルにおける可動部材の開閉動作の回数を選ぶ代わりに、本願発明のごとくサイクル単位数を選ぶことに困難性があると認めることはできない。
　すなわち、相違点１に係る本願発明の構成を採用することは当業者にとって想到容易である。
　
（２）相違点２について
　引用例２には「本発明のパチンコ機は、特定のゲートへの遊技球の通過を検出する第１の検出手段と、第１の検出手段からの検出信号により図柄を変動表示する第１の図柄表示手段と、第１の図柄表示手段の表示結果が予め設定された第１の特定条件を満たすことよって開口される可変始動口と、可変始動口又は固定始動口への遊技球の通過を検出する第２の検出手段と、第２の検出手段からの検出信号により図柄を変動表示する第２の図柄表示手段と、第２の図柄表示手段の表示結果が予め設定された第２の特定条件を満たすことよって開口される大入賞口とを備えたパチンコ機において、第２の図柄表示手段の表示結果が予め設定された設定条件を満すことにより、第１の図柄表示手段による表示結果が第１の特定条件を満たす確率を設定変更する設定確率変更手段を設けたため、第２の図柄表示手段による表示結果が第２の特定条件を満して大入賞口が開口され、遊技者に対して、今回の第２の図柄表示手段による表示結果が第２の特定条件を満したことに基づく大入賞口に関する遊技価値付与等が行われた後にも、遊技の続行を試みる遊技者にとっては、今回の第２の図柄表示手段による表示結果が予め設定された設定条件を満すべく特定された図柄の組み合わせであれば、第１の図柄表示手段の表示結果が予め設定された第１の条件を満たす確率を、遊技者にとって有利または不利となるように変更するものであり、次回以降の遊技結果が今回の図柄表示手段の表示結果に左右されるものであるから、遊技者にとって趣向性の高い新規なパチンコ機が提供される。」（段落【０１０８】）との記載がある。上記記載中、「第２の図柄表示手段による表示結果」は本願発明でいう「第１可変表示装置に停止表示された図柄」に相当し、同じく「大入賞口に関する遊技価値付与」と「大当たり」は、遊技者にとって格別有利な状態である点共通し、引用例２記載のそれを「大当たり」と称することにも格別問題はない。
　そして、引用例２には「第２の図柄表示手段による表示結果」が特定の場合に限って、遊技価値付与を行う（本願発明でいう「特別遊技」に移行）とともに、さらに遊技価値付与が行われた後（本願発明でいう「大当り終了後」）に、「第１の図柄表示手段の表示結果が予め設定された第１の条件を満たす確率」を高くする（当然、「通常より高くする」ものと認める。）ことが記載されている。ここで、引用例２記載の「第１の図柄表示手段の表示結果が予め設定された第１の条件を満たす確率」と本願発明の「特別入賞口誘導手段を誘導状態に変換する決定に応じた特別図柄が停止表示される確率」とは、遊技者にとって格別有利な状態（大当たり）に至る過程での確率である点で共通し、引用発明１におけるそれは、第１変動表示器の停止時の表示状態が特定の表示となる確率しかない。
　そうであれば、引用発明１に引用例２記載の技術を適用し、第２変動表示器の停止時の表示結果が特定の条件を満たす場合（本願発明の用語に従えば「特殊図柄である場合」）に、「大当り終了後に前記第２可変表示装置において、前記特別入賞口誘導手段を誘導状態に変換する決定に応じた特別図柄が停止表示される確率を通常より高くする高確率状態を制御する高確率制御手段」を備える構成とすることは当業者にとって想到容易である。
　ところで、引用例２記載の技術では、「第２の図柄表示手段による表示結果」如何では大入賞口が開口されないとされており、「予め設定された設定条件を満すべく特定された図柄の組み合わせ」の場合には、大入賞口開口に加えて、大当り終了後にさらに再度大当りし易くなるように制御するものであるから、遊技者に最も有利な状態のうち、さらにより有利な状態を遊技者に与えるものである。ここで、相違点１に係る本願発明の構成を採用した場合には、遊技者に最も有利な状態とは、サイクル単位数が最大値の場合であるから、最大値に対応する図柄を複数用意しておき、そのうちの１以上を「大当り終了後に前記第２可変表示装置において、前記特別入賞口誘導手段を誘導状態に変換する決定に応じた特別図柄が停止表示される確率を通常より高くする」条件成立のための「特殊図柄」とすることは設計事項というべきであり、そのようにした場合には、「高確率制御手段」を「サイクル単位数に応じて前記特別入賞口誘導手段を誘導状態に変換する確率を変化させる」手段ということができる。
　残る検討項目は「前記第１可変表示装置に停止表示された図柄が特殊図柄であれば特殊図柄の種類によって異なる値がセットされるカウンタを備え、該カウンタの値を前記大当たりが発生する毎にデクリメントし、該カウンタの値が０でなければ前記高確率状態を制御する構成とし、前記特殊図柄の種類によって前記高確率状態の発生回数を決定する」ことである。
　引用発明１においても、第２変動表示器の表示結果に従って次の開閉サイクルの可動部材の開閉動作の回数を変更しているところ、何らかの制御を行うに当たり、その回数を表示結果に従って変更することが、遊技の趣向性向上にむすびつくことは引用例１においても示唆されている。
　加えて、引用例３には、「１回目の権利発生時におけるその可変表示装置の停止図柄の種類によって、権利の発生確率が向上した高確率状態となる回数を変化させるようにした。」（【要約】の【構成】欄）とあるとおり、停止図柄の種類によって高確率状態の回数を変化させることが記載されている。そうである以上、引用発明１に引用例２記載の技術を適用する際、「大当り終了後に前記第２可変表示装置において、前記特別入賞口誘導手段を誘導状態に変換する決定に応じた特別図柄が停止表示される確率を通常より高くする」条件成立のための「特殊図柄」を２以上用意し、「特殊図柄の種類によって前記高確率状態の発生回数を決定する」ことも設計事項というべきである。そして、引用発明１に引用例２記載の技術を適用した場合の高確率状態とは、大当たり終了後に再度大当たりする確率を高めた状態であるから、高確率状態の解消条件を、発生回数分の大当たり発生とすることが最も自然である。そうであれば、発生回数を複数としたとき、その回数がセットされるカウンタを備え、大当たりが発生する毎にカウンタの値をデクリメントし、カウンタの値が０でないことを条件として高確率状態を制御する構成とすることも設計事項といわなければならない。
　以上のとおりであるから、相違点２に係る本願発明の構成を採用することも当業者にとって想到容易である。
　
（３）本願発明の進歩性の判断
　以上によれば、相違点１，２に係る本願発明の構成を採用することは当業者にとって想到容易であり、これら構成を採用したことによる格別の作用効果を認めることもできない。
　したがって、本願発明は引用発明１、引用例２，３記載の技術及び周知技術に基づいて当業者が容易に発明をすることができたものであるから、特許法２９条２項の規定により特許を受けることができない。
　
第３　むすび
　本願発明が特許を受けることができない以上、本願は拒絶を免れない。
　よって、結論のとおり審決する。